【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
1つまたは複数のサウンディング基準信号(SRS)リソースをユーザ機器(UE)から受信するステップであって、各SRSリソースが、1つまたは複数のプリコーディングされたSRSポートに関連付けられる、受信するステップと、
前記1つまたは複数のSRSリソースに基づいて、アップリンク送信のための送信ランクまたはプリコーダのセットのうちの少なくとも1つを判定するステップと、
前記1つまたは複数のSRSリソースのうちの少なくとも1つの指示を前記UEにシグナリングするステップと
を含む、方法。
【請求項２】
前記1つまたは複数のSRSリソースのうちの前記少なくとも1つの前記指示が、プリコーダの前記セットおよび前記送信ランクを指示する、請求項1に記載の方法。
【請求項３】
前記1つまたは複数のSRSリソースのうちの前記少なくとも1つの前記指示を前記シグナリングするステップが、前記1つまたは複数のSRSリソースからの単一のSRSリソースの指示をシグナリングするステップを含み、
プリコーダの前記セットが、前記単一のSRSリソースから選択され、
前記送信ランクが、前記単一のSRSリソース内のプリコーディングされたSRSポートの数に等しい
請求項2に記載の方法。
【請求項４】
前記1つまたは複数のSRSリソースのうちの前記少なくとも1つの前記指示を前記シグナリングするステップが、前記1つまたは複数のSRSリソースからの複数のSRSリソースの指示をシグナリングするステップを含み、
プリコーダの前記セットが、前記複数のSRSリソースから選択され、
前記送信ランクが、前記複数のSRSリソース内のプリコーディングされたSRSポートの数に等しい
請求項2に記載の方法。
【請求項５】
前記1つまたは複数のSRSリソースの各々が、単一のプリコーディングされたSRSポートを含む、請求項2に記載の方法。
【請求項６】
前記送信ランクまたはプリコーダの前記セットのうちの少なくとも1つに基づいているアップリンク送信を受信するステップ
をさらに含む、請求項1に記載の方法。
【請求項７】
前記1つまたは複数のSRSリソースが、時間リソースおよび周波数リソースの第1のセット上で受信され、
前記1つまたは複数のSRSリソースのうちの前記少なくとも1つの前記指示が、時間リソースおよび周波数リソースの第2のセット上でシグナリングされ、
時間リソースおよび周波数リソースの前記第2のセットが、時間リソースおよび周波数リソースの前記第1のセットに部分的に基づいて判定される
請求項1に記載の方法。
【請求項８】
ユーザ機器(UE)によるワイヤレス通信のための方法であって、
1つまたは複数のサウンディング基準信号(SRS)リソースを基地局(BS)に送信するステップであって、各SRSリソースが、1つまたは複数のプリコーディングされたSRSポートに関連付けられる、送信するステップと、
前記1つまたは複数のSRSリソースを送信した後で、アップリンク送信のために使用するための前記1つまたは複数のSRSリソースのうちの少なくとも1つの指示を受信するステップと、
前記1つまたは複数のSRSリソースのうちの前記少なくとも1つの前記指示に基づいて、前記アップリンク送信のためのプリコーダのセットを判定するステップと、
プリコーダの前記セットに部分的に基づいて、アップリンク送信を送るステップと
を含む、方法。
【請求項９】
前記1つまたは複数のSRSリソースのうちの前記少なくとも1つの前記指示に基づいて、送信ランクを判定するステップをさらに含み、前記アップリンク送信が前記送信ランクにさらに基づいて送られる、請求項8に記載の方法。
【請求項１０】
前記1つまたは複数のSRSリソースのうちの前記少なくとも1つの前記指示が、単一のSRSリソースの指示を含み、
プリコーダの前記セットが、前記単一のSRSリソースから判定され、
前記送信ランクが、前記単一のSRSリソース内のプリコーディングされたSRSポートの数に等しい
請求項9に記載の方法。
【請求項１１】
前記1つまたは複数のSRSリソースのうちの前記少なくとも1つの前記指示が、複数のSRSリソースの指示を含み、
プリコーダの前記セットが、前記複数のSRSリソースから判定され、
前記送信ランクが、前記複数のSRSリソース内のプリコーディングされたSRSポートの数に等しい
請求項9に記載の方法。
【請求項１２】
前記1つまたは複数のSRSリソースの各々が、単一のプリコーディングされたSRSポートを含む、請求項9に記載の方法。
【請求項１３】
前記1つまたは複数のSRSリソースが、時間リソースおよび周波数リソースの第1のセット上で前記BSに送信され、
前記1つまたは複数のSRSリソースのうちの前記少なくとも1つの前記指示が、時間リソースおよび周波数リソースの第2のセット上で受信され、
時間リソースおよび周波数リソースの前記第2のセットが、時間リソースおよび周波数リソースの前記第1のセットに部分的に基づいて判定される
請求項8に記載の方法。
【請求項１４】
ワイヤレス通信のための装置であって、
1つまたは複数のサウンディング基準信号(SRS)リソースをユーザ機器(UE)から受信するための手段であって、各SRSリソースが、1つまたは複数のプリコーディングされたSRSポートに関連付けられる、受信するための手段と、
前記1つまたは複数のSRSリソースに基づいて、アップリンク送信のための送信ランクまたはプリコーダのセットのうちの少なくとも1つを判定するための手段と、
前記1つまたは複数のSRSリソースのうちの少なくとも1つの指示を前記UEにシグナリングするための手段と
を含む、装置。
【請求項１５】
前記1つまたは複数のSRSリソースのうちの前記少なくとも1つの前記指示が、プリコーダの前記セットおよび前記送信ランクを指示する、請求項14に記載の装置。
【請求項１６】
前記1つまたは複数のSRSリソースのうちの前記少なくとも1つの前記指示をシグナリングするための前記手段が、前記1つまたは複数のSRSリソースからの単一のSRSリソースの指示をシグナリングするための手段を含み、
プリコーダの前記セットが、前記単一のSRSリソースから選択され、
前記送信ランクが、前記単一のSRSリソース内のプリコーディングされたSRSポートの数に等しい
請求項15に記載の装置。
【請求項１７】
前記1つまたは複数のSRSリソースのうちの前記少なくとも1つの前記指示をシグナリングするための前記手段が、前記1つまたは複数のSRSリソースからの複数のSRSリソースの指示をシグナリングするための手段を含み、
プリコーダの前記セットが、前記複数のSRSリソースから選択され、
前記送信ランクが、前記複数のSRSリソース内のプリコーディングされたSRSポートの数に等しい
請求項15に記載の装置。
【請求項１８】
前記1つまたは複数のSRSリソースの各々が、単一のプリコーディングされたSRSポートを含む、請求項15に記載の装置。
【請求項１９】
前記送信ランクまたはプリコーダの前記セットのうちの少なくとも1つに基づいているアップリンク送信を受信するための手段
をさらに含む、請求項14に記載の装置。
【請求項２０】
前記1つまたは複数のSRSリソースが、時間リソースおよび周波数リソースの第1のセット上で受信され、
前記1つまたは複数のSRSリソースのうちの前記少なくとも1つの前記指示が、時間リソースおよび周波数リソースの第2のセット上でシグナリングされ、
時間リソースおよび周波数リソースの前記第2のセットが、時間リソースおよび周波数リソースの前記第1のセットに部分的に基づいて判定される
請求項14に記載の装置。
【請求項２１】
ワイヤレス通信のための装置であって、
1つまたは複数のサウンディング基準信号(SRS)リソースを基地局(BS)に送信するための手段であって、各SRSリソースが、1つまたは複数のプリコーディングされたSRSポートに関連付けられる、送信するための手段と、
前記1つまたは複数のSRSリソースを送信した後で、アップリンク送信のために使用するための前記1つまたは複数のSRSリソースのうちの少なくとも1つの指示を受信するための手段と、
前記1つまたは複数のSRSリソースのうちの前記少なくとも1つの前記指示に基づいて、前記アップリンク送信のためのプリコーダのセットを判定するための手段と、
プリコーダの前記セットに部分的に基づいて、アップリンク送信を送るための手段と
を含む、装置。
【請求項２２】
前記1つまたは複数のSRSリソースのうちの前記少なくとも1つの前記指示に基づいて、送信ランクを判定するための手段をさらに含み、前記アップリンク送信を送るための前記手段が、前記送信ランクにさらに基づいて前記アップリンク送信を送る、請求項21に記載の装置。
【請求項２３】
前記1つまたは複数のSRSリソースのうちの前記少なくとも1つの前記指示が、単一のSRSリソースの指示を含み、
プリコーダの前記セットが、前記単一のSRSリソースから判定され、
前記送信ランクが、前記単一のSRSリソース内のプリコーディングされたSRSポートの数に等しい
請求項22に記載の装置。
【請求項２４】
前記1つまたは複数のSRSリソースのうちの前記少なくとも1つの前記指示が、複数のSRSリソースの指示を含み、
プリコーダの前記セットが、前記複数のSRSリソースから判定され、
前記送信ランクが、前記複数のSRSリソース内のプリコーディングされたSRSポートの数に等しい
請求項22に記載の装置。
【請求項２５】
前記1つまたは複数のSRSリソースの各々が、単一のプリコーディングされたSRSポートを含む、請求項22に記載の装置。
【請求項２６】
前記1つまたは複数のSRSリソースが、時間リソースおよび周波数リソースの第1のセット上で前記BSに送信され、
前記1つまたは複数のSRSリソースのうちの前記少なくとも1つの前記指示が、時間リソースおよび周波数リソースの第2のセット上で受信され、
時間リソースおよび周波数リソースの前記第2のセットが、時間リソースおよび周波数リソースの前記第1のセットに部分的に基づいて判定される
請求項21に記載の装置。